(57)【要約】      （修正有）【課題】文字板の表面に設けられた透明な加飾リングの問題を解消する。【解決手段】文字板２に設けられた透過照明部３を、文字板２の裏面側に設置された光源で照明するようにした文字板照明構造であり、透過照明部３が円形のものとされると共に、文字板２の表面に、円形の透過照明部３を覆う透明な加飾リング２２が設け、加飾リング２２の前面に、レンズ効果を利用して円形の透過照明部３を拡大して見せる凸レンズ面２４を形成する。【選択図】図５
2015021750.tif 000002
【特許請求の範囲】
【請求項１】
文字板に設けられた透過照明部を、文字板の裏面側に設置された光源で照明するようにした文字板照明構造において、
前記透過照明部が円形のものとされると共に、
前記文字板の表面に、前記円形の透過照明部を覆う透明な加飾リングが設けられ、
該透明な加飾リングの前面に、レンズ効果を利用して前記円形の透過照明部を拡大する凸レンズ面を形成したことを特徴とする文字板照明構造。
【請求項２】
前記透明な加飾リングの底面に、光の屈折を利用して前記円形の透過照明部の見える位置を変位させる傾斜面部を設けたことを特徴とする請求項１に記載の文字板照明構造。
【発明の詳細な説明】
【技術分野】
【０００１】
この発明は、文字板照明構造に関するものである。
【背景技術】
【０００２】
自動車などの車両には、車室の前部にインストルメントパネルが設けられている。このインストルメントパネルの運転席側の部分や、運転席と助手席との間の部分には、各種の運転情報を表示するようにした計器装置が設けられている（例えば、特許文献１参照）。
【０００３】
そして、特許文献１の計器装置では、文字板の表面側に導光板（または加飾リング）を配置することによって、導光板を通して文字板の意匠を見せたり、導光板による透過照明を見せたりすることができるようにしている。
【先行技術文献】
【特許文献】
【０００４】
【特許文献１】特開２００５−９１２１８号公報
【発明の概要】
【発明が解決しようとする課題】
【０００５】
しかしながら、上記特許文献１に記載された文字板照明構造では、文字板の表面側に設置された導光板は、その裏面部分が、文字板の表面と平行な平面形状のものとされていたため、組付け誤差などによって、外部から導光板を通した文字板の意匠や文字板の照明が見え難くなった場合に、見え易くなるように調整することが難しかった。
【０００６】
そこで、本発明は、上記したような文字板の表面側に設置された導光板に関する問題点を解決することを、主な目的としている。
【課題を解決するための手段】
【０００７】
上記課題を解決するために、本発明は、
文字板に設けられた透過照明部を、文字板の裏面側に設置された光源で照明するようにした文字板照明構造において、
前記透過照明部が円形のものとされると共に、
前記文字板の表面に、前記円形の透過照明部を覆う透明な加飾リングが設けられ、
該透明な加飾リングの前面に、レンズ効果を利用して前記円形の透過照明部を拡大する凸レンズ面を形成したことを特徴とする。
【発明の効果】
【０００８】
本発明によれば、上記構成によって、以下のような作用効果を得ることができる。
即ち、透明な加飾リングの前面に、レンズ効果を利用して円形の透過照明部を拡大する凸レンズ面を形成したことにより、加飾リングを通した透過照明部や透過照明部の照明の幅を拡大して見せることが可能となる。以って、円形の透過照明部自体の幅や、円形の透過照明部へ入射される光の幅が細くても、加飾リングを通した透過照明部や透過照明部の照明の幅を拡げて、実際よりも太く見せることができる。
これにより、加飾リング部分の照明を外部から見え易くすることや、加飾リング部分の照明を安定して見えるようにすることができるようになり、加飾リング部分の照明や文字板の見栄えを向上することができる。また、加飾リングの組付け誤差による影響を少なくして、加飾リングを位置調整する必要をなくしたり、あるいは、位置調整の必要性を減らしたりすることができる。
【図面の簡単な説明】
【０００９】
【図１】本発明の実施例にかかる文字板照明構造の全体斜視図である。
【図２】図１の縦断面図である。
【図３】図１の分解斜視図である。
【図４】図２の部分拡大斜視図である。
【図５】図４を側方から見た拡大断面図である。
【図６】加飾リングによって光を拡大する様子を示す図である。
【図７】文字板の裏面側に設置された導光体の平面図である。
【発明を実施するための形態】
【００１０】
以下、本実施の形態、および、それを具体化した実施例を、図面を用いて詳細に説明する。
図１〜図７は、この実施の形態の実施例およびその変形例を示すものである。
【実施例１】
【００１１】
＜構成＞以下、構成について説明する。
自動車などの車両には、車室の前部にインストルメントパネルが設けられる。このインストルメントパネルの運転席側の部分や、運転席と助手席との間の部分に対して、各種の運転情報を表示するようにした計器装置（車両用計器装置）を設ける（例えば、図１のような燃料計や、図３のような水温計がある）。
【００１２】
そして、図１（〜図３）に示すように、この計器装置１では、文字板２を照明可能なものとする。この計器装置１の文字板照明構造は、文字板２に設けられた透過照明部３を、文字板２の裏面側に設置された光源４（図３参照）によって照明させるものである。
【００１３】
ここで、上記についての補足説明を行う。なお、補足説明については、必要に応じて参照すれば良い。
上記した「文字板照明構造」は、文字通り、計器装置１の文字板２を照明するための構造のことである。
【００１４】
上記した「計器装置１」は、ハウジング５の表面側に文字板２を設置すると共に、ハウジング５の裏面側に、上記した光源４を有する回路基板６（図３参照）が取付けられた構造を備えている。そして、ハウジング５の内部には、光源４からの光７を文字板２の裏面側へ向けて導光するための導光体８が設けられている。なお、ハウジング５からは、文字板照明と指針照明とを区別するための遮光壁５ａなどが突設されている。導光体８については後述する。
【００１５】
上記した「文字板２」は、計器装置１の表面意匠を構成するものである。文字板２には、運転情報などを表示するための数値表示部や目盛部などの指標部１１が各種設けられる。文字板２は、透明な樹脂製の板材によって構成される。文字板２には、指針軸を通すための指針軸穴２ａが形成されている。上記した指針照明用の遮光壁５ａは、その先端部が、この指針軸穴２ａから表面側へ僅かに突出するように挿通配置される。
【００１６】
上記した「透過照明部３」は、文字板２を透過する照明のことである。通常、透過照明部３は、上記した数値表示部や目盛部などの指標部１１などとされる。そのために、例えば、文字板２を構成する透明な樹脂製の板材には、数値表示部や目盛部などの指標部１１を残して不透光性の印刷層が形成される。これにより、夜間などに、数値表示部や目盛部などの指標部１１を照明する（光らせる）ことができる。
【００１７】
上記した「光源４」は、文字板２の透過照明部３を照明するための光７を発生するものである。光源４には、通常、ＬＥＤなどの点光源が用いられる。
【００１８】
そして、以上のような基本的な構成に対し、この実施例のものでは、以下のような構成を備えるようにしている。
【００１９】
（構成１）
図３に示すように、上記した透過照明部３が円形のものとされる（あるいは、文字板２に上記した指標部１１とは別に円形透過照明部２１が設けられる）。
また、上記した文字板２の表面に、上記した円形の透過照明部３を覆う透明な加飾リング２２が設けられるようにする。
そして、図４（〜図６）に示すように、この透明な加飾リング２２の前面に、レンズ効果を利用して上記した円形の透過照明部３を拡大する凸レンズ面２４を形成する。
【００２０】
（補足説明１）
ここで、上記した「円形の透過照明部３（円形透過照明部２１）」は、この場合、上記した数値表示部や目盛部などの指標部１１が構成するほぼ円弧状の指針回動領域を全周に拡張した円の周縁部（外周部）に沿って、連続したリング状となるように（指標部１１とは別に）設けられる。この円形の透過照明部３は、指針軸を中心に、連続して周方向へ延びる細い線状のものとされる。この円形の透過照明部３は、一定の幅寸法を有するものとされる。
【００２１】
この円形の透過照明部３（円形透過照明部２１）も、例えば、上記した指標部１１と同様に、文字板２に対し、上記した円形の透過照明部３を残して不透光性の印刷層を形成することなどによって形成される。また、円形の透過照明部３（円形透過照明部２１）は、文字板２を溝状に彫り込むようにすることによって形成することもできる（図４参照）。
【００２２】
この円形の透過照明部３は、透光性または半透光性の印刷層によって着色することができる。この場合には、青色などに着色されている。
【００２３】
上記した「透明な加飾リング２２」は、円形の透過照明部３から出た光７を通す導光体として機能するものである。この透明な加飾リング２２は、平面的に見て上記した円形の透過照明部３よりも幅の広いものとされる。即ち、この透明な加飾リング２２は、上記した円形の透過照明部３よりも内径が小さく、かつ、外径が大きく形成されることにより、上記した円形の透過照明部３よりも一回り大きい、連続したリング状のものとされる。この透明な加飾リング２２は、上記した指針軸を中心にして、円形の透過照明部３とほぼ同心状に配設される。
【００２４】
そして、透明な加飾リング２２の前面（手前側の面）には、透明な加飾リング２２の外周側の部分を覆い、内周側の部分を一部露出させるように、リング状の遮光カバー２５が設置される。このリング状の遮光カバー２５は、文字板２の表面側から透明な加飾リング２２の外周部に沿って立ち上がる立上部２５ａと、この立上部２５ａの図中上端部から透明な加飾リング２２の内周側へ向けて、透明な加飾リング２２の幅寸法よりも所定量だけ短い長さで横方向へ延びるリング被覆部２５ｂとを有するほぼＬ字状の断面形状を有するものとされる。このリング被覆部２５ｂは、透明な加飾リング２２による照明に、間接照明効果を持たせるなどのためのものである。この遮光カバー２５を取付けるために、遮光カバー２５の底面には、例えば、文字板２に形成された取付用孔部を通して、ハウジング５に爪固定可能な取付用爪部などが、周方向に数箇所設けられる。
【００２５】
また、加飾リング２２の、文字板２の表面に対する設置は、上記した遮光カバー２５を介して行われる。なお、加飾リング２２の位置調整は、例えば、加飾リング２２と遮光カバー２５との間にスペーサーを介在させることなどによって行うことができる。
【００２６】
上記した「加飾リング２２の前面」は、加飾リング２２を外部から見た時に手前側となる面（外表面）、または、文字板２とは反対側の面であり、そして、少なくとも一部のことである。
【００２７】
上記した「凸レンズ面２４」は、円形の透過照明部３を拡大して見せるための凸面を有するレンズ面などとされる。この場合には、凸レンズ面２４は、円形の透過照明部３を内周側に拡大して見せるようなものとされる。この凸レンズ面２４は、主に、遮光カバー２５のリング被覆部２５ｂによって覆われていない内周側の（露出）部分に設けられる。なお、遮光カバー２５のリング被覆部２５ｂによって覆われる外周側の（被覆）部分については、凸レンズ面２４としても良いが、特に凸レンズ面２４とする必要はなく、この場合には、平坦面とされている。
【００２８】
（構成２）
そして、上記した透明な加飾リング２２の底面に、光７の屈折を利用して上記した円形の透過照明部３の見える位置を変位させる傾斜面部２３を設けるようにする。
【００２９】
（補足説明２）
ここで、上記した「加飾リング２２の底面」は、加飾リング２２の文字板２側の面（奥側の面）の少なくとも一部のことである。この場合には、加飾リング２２の底面の内周側のほぼ半部（即ち、凸レンズ面２４によるレンズ効果に影響を及ぼすことができる部分）に傾斜面部２３が形成されている。そして、加飾リング２２の底面の外周側の残りのほぼ半部が平坦面２２ａとされている。この平坦面２２ａは、傾斜面部２３に対し、段差を有して形成されている。なお、加飾リング２２の底面は、傷付き防止のために、文字板２に接触しないように僅かに離間させて配置するのが好ましい（特に、傾斜面部２３の内周縁部）。
【００３０】
上記した「傾斜面部２３」は、加飾リング２２の底面を外周側から内周側へ向けて下り勾配に傾斜する面とされる。この傾斜面部２３は、直線的な勾配を有するものとされる。傾斜面部２３の傾斜角度は、例えば、１０度以下などの比較的小さな角度に設定される。これにより、加飾リング２２は、光７を内側へ屈折させることで、円形の透過照明部３およびこの透過照明部３によるリング状の照明を、内周側に変位して見せるものとなる。なお、傾斜面部２３の傾斜角度は、加飾リング２２の材質や、意匠などに応じて最適に設定することができる。
【００３１】
そして、以下に、上記した導光体８の詳細について説明する。
【００３２】
（構成３）
図７に示すように、上記した導光体８は、導光体本体８０と入光部８１とを有するものとされる。
そして、導光体本体８０が、全周に亘って連続して延びる円環状のものとされる（即ち、円環状導光体本体とされる）。
そして、上記した入光部８１から離れた部分の光路断面を、上記した入光部８１に近い部分の光路断面よりも小さくなるようにする。
【００３３】
（補足説明３）
ここで、上記した「円環状」は、切れ目のないリング状またはドーナツ状などの形状のことである。この場合、導光体本体８０は、ほぼ均一の幅寸法（光路幅（基本幅）Ｗａ）と、ほぼ均一の厚みとを有する平坦な形状を有するもの（即ち、ほぼ均一な光路断面のもの）が、基本型となる。
【００３４】
この場合、導光体本体８０の光路幅（基本幅）Ｗａは、上記した指標部１１の全体を照明できるようにするために、少なくとも、指標部１１の裏面側に位置する部分が、指標部１１を構成する各文字（数値）や目盛りを合わせた幅よりも広いものとされる。
【００３５】
これにより、導光体本体８０は、少なくとも、その内周面と、外周面と、裏面とに、それぞれ光７を反射する反射面（内周側反射面８０ａ（凸円弧状反射面）、外周側反射面８０ｂ（凹円弧状反射面）、裏面側反射面（平坦な反射面））を有するものとなる。
【００３６】
なお、導光体本体８０の表面については、光７の一部を導光体本体８０の内部へ向けて反射させるための反射面としての機能と、光７の一部を文字板２へ向けて出射させるための出射面としての機能との両方を有するものとされる。そのために、導光体本体８０の表面には、例えば、シボ模様などの細かい凹凸部が形成される。この凹凸部によって、導光体本体８０の表面は、光７を乱反射させる半透過面などとされる。
【００３７】
上記した「光路断面」は、円環状の導光体本体８０の半径方向の断面である。この実施例では、光路断面は、上記したような周方向にほぼ一定幅を有する基本型のものに対して、後述するような変則的な形状を有するものとされる。
【００３８】
上記した「入光部８１から離れた部分の光路断面を、入光部８１に近い部分の光路断面よりも小さく」とは、入光部８１から遠い部分は、光路断面を、基本型のものよりも小さくすることである。なお、光路断面は、入光部８１から離れるに従い、徐々に（連続的にまたは段階的に）小さくなるようにするのが、文字板２の発光輝度を確保し、均一化する上では好ましい（例えば、光路幅Ｗａ＞光路幅Ｗｂ＞光路幅Ｗｃ）。なお、光源４は、入光部８１の先端部８１ａと対向するように設けられる。
【００３９】
（構成４）
円環状の導光体本体８０の入光部８１から最も離れた位置Ａまたはその近傍に、他の部分よりも光路断面の小さい最小光路断面部８２を設ける。
そして、この最小光路断面部８２が、円環状の導光体本体８０の外周側に位置されるようにする。
【００４０】
（補足説明４）
ここで、上記した「入光部８１から最も離れた位置Ａまたはその近傍」は、円環状の導光体本体８０における、入光部８１から周方向にほぼ１８０度離れた位置、または、その周辺の、最も、光７が届き難い部分のことである。
【００４１】
上記した「他の部分よりも光路断面の小さい」は、円環状の導光体本体８０全体の中で、光路断面が最も小さくなっていることである（この場合、光路幅Ｗｃ＝ｍｉｎ）。
【００４２】
上記した「最小光路断面部８２」は、文字通り、光路断面が最も小さい部分（光路幅Ｗｃの部分）のことである。最小光路断面部８２の光路幅Ｗｃは、上記した円形の透過照明部３（円形透過照明部２１）とほぼ等しいと認められる範囲内で、円形の透過照明部３の照明にムラが出ないような幅に設定される。この場合、最小光路断面部８２は、短い区間を有して設けられている。この区間は、最小光路断面部８２を設けない場合に、（円形の透過照明部３の照明に）ムラが発生する範囲とほぼ等しい長さを有するものとされる。但し、最小光路断面部８２は、区間を有さない点状の部分などとすることもできる。
【００４３】
上記した「円環状の導光体本体８０の外周側に位置される」は、最小光路断面部８２が、円環状の導光体本体８０の外周縁部（外周側反射面８０ｂ）をほぼ真円形とすることができるような位置や状態で形成されることである。導光体本体８０の外周縁部を真円形にすることにより、光７を最も効率的に導くと共に、円形の透過照明部３を効率的に照明することができるものとなる。
【００４４】
（構成５）
上記した最小光路断面部８２の入側に、光路断面が徐々に縮小する光路断面漸縮部８３を設けるようにする。
【００４５】
（補足説明５）
ここで、上記した「光路断面漸縮部８３」は、光路断面が徐々に縮小される部分のことである。光路断面漸縮部８３は、外周側反射面８０ｂが真円形状を保持できるように、内周側反射面８０ａを変形させて形成する。この場合には、最小光路断面部８２へ向かって徐々に光路断面が小さくなるようにしている。光路断面漸縮部８３は、最小光路断面部８２の両側に設けられている。
【００４６】
（構成６）
上記した最小光路断面部８２の入側に、光路断面が急激に変化する光路断面急変化部８４が設けられる。
そして、この場合に、上記した最小光路断面部８２が、入光部８１から最も離れた位置Ａを基準として、光路断面急変化部８４寄りに設けられるようにする。
【００４７】
（補足説明６）
ここで、上記した「光路断面急変化部８４」は、光路断面が突然大きく変化する部分のことである。この光路断面急変化部８４は、例えば、文字板２に図示しないインジケータなどを設けるために、導光体本体８０が部分的に切り欠かれることなどによって形成される。光路断面急変化部８４は、外周側反射面８０ｂが真円形状を保持できるように、内周側反射面８０ａを変形させて形成する。このインジケータは、上記した光源４とは別の、図示しない光源によって点灯するものとされる。このインジケータは、図中、真下の位置に設けられている。よって、光路断面急変化部８４は、このインジケータを避けるような切欠き形状のものとされている。
【００４８】
上記した「光路断面急変化部８４寄りに設け」は、最小光路断面部８２の位置を、周方向に対し、光路断面急変化部８４の側へ近付けるようにズラせることである。より具体的には、この場合のズレ量Ｓは、図７に矢印で示すように、最小光路断面部８２を、右斜め下側の位置から、より真下に近い位置へと移動させるような量とされている。なお、入光部８１から最も離れた位置Ａは、入光部８１と、円環状の導光体本体８０の中心Ｏとを結んだ線の延長上に位置される。
【００４９】
（構成７）
上記した最小光路断面部８２を挟んで光路断面急変化部８４とは反対側の部分の内周面に、上記した入光部８１と、上記した最小光路断面部８２とを結ぶ線８５と平行な反射面（平行反射面８６）を設ける。
【００５０】
（補足説明７）
ここで、上記した「入光部８１と、最小光路断面部８２とを結ぶ線８５」は、入光部８１における光源４が臨む位置（の中心）と、最小光路断面部８２（の中心）とを最短距離で結ぶ線８５（直線）のことである。
【００５１】
上記した「平行な反射面（平行反射面８６）」は、上記した最短距離で結ぶ線８５に対して完全に正確な平行である必要はなく、実質的にほぼ平行であると認められる範囲内で若干ズレていても良い。平行反射面８６は、外周側反射面８０ｂが真円形状を保持できるように、内周側反射面８０ａを変形させて形成する。
【００５２】
＜作用＞以下、この実施例の作用について説明する。
上記した計器装置１では、文字板２の指標部１１に沿って指針が回動される。これにより、指針の先端部が指し示す指標部１１の文字や目盛りなどを読むことで、速度やエンジン回転数や燃料残量やエンジン冷却水温などの運転情報を知ることができる。
【００５３】
そして、夜間などには、光源４を点灯することによって文字板２を照明（透過照明）することができる。これにより、夜間などであっても、運転情報を読み取ることが可能となる。なお、昼間などに加飾用に文字板２を照明（加飾照明）するようにしても良い。
【００５４】
文字板２は、光源４からの光７を、導光体８の入光部８１を介して導光体本体８０内へ導き、導光体本体８０内へ導かれた光７を導光体本体８０の表面から文字板２の裏面側へ向けて出射させることによって照明される。
【００５５】
そして、文字板２に設けた数値表示部や目盛部などの指標部１１を透過照明可能なものとすることにより、光源４を点灯した時に、数値表示部や目盛部などの指標部１１が透過照明される。
【００５６】
更に、文字板２に円形の透過照明部３を設けることにより、上記した光源４を点灯することで、文字板２をリング状に照明することができる。しかも、この円形の透過照明部３を透明な加飾リング２２で覆うことにより、上記したリング状の照明を、立体的で高品質なものに見せることができる。これにより、文字板２に形成された数値表示部や目盛部などの指標部１１によって構成される指針回動領域の周縁部（輪郭）をリング状の照明によって際立たせることが可能となる。
【００５７】
＜効果＞この実施例によれば、以下のような効果を得ることができる。
（効果１）
透明な加飾リング２２の前面に、レンズ効果を利用して円形の透過照明部３を拡大する凸レンズ面２４を形成したことにより、加飾リング２２を通した透過照明部３や透過照明部３の照明の幅を拡大して見せることが可能となる。以って、円形の透過照明部３自体の幅や、（例えば、導光体本体８０の最小光路断面部８２から出射された光７のように）円形の透過照明部３を通る光７の幅が細くても、加飾リング２２を通した透過照明部３や透過照明部３の照明の幅を拡げて、実際よりも太く見せることができる。
【００５８】
これにより、加飾リング２２部分の照明などを外部から見え易くすることや、加飾リング２２部分の照明などを安定して見えるようにすることができるようになり、加飾リング２２部分の照明や文字板２の見栄えを向上することができる。また、加飾リング２２の組付け誤差による影響を少なくして、加飾リング２２を位置調整する必要をなくしたり、あるいは、位置調整の必要性を減らしたりすることができる。
【００５９】
しかも、円形の透過照明部３に対して、加飾リング２２の位置を微妙に変位させる（ズラせる）と、円形の透過照明部３と、凸レンズ面２４との位置関係が変って、透過照明部３の見える位置や大きさ（拡大効果）などが変わるので、加飾リング２２の位置調整によって、加飾リング２２部分の照明が全体的に見易くなるように設定することが容易となる。よって、文字板２に対する透明な加飾リング２２のレイアウト上の制約などを少なくすることができる。
【００６０】
また、加飾リング２２の前面は、比較的スペースに余裕があるので、このスペースを利用して、凸レンズ面２４を有効に設けることができる。
【００６１】
（効果２）
透明な加飾リング２２の底面に、光７の屈折を利用して円形の透過照明部３の見える位置を変位させる傾斜面部２３を設けたことにより、円形の透過照明部３をより見え易いものとすることが可能となる。また、上記した凸レンズ面２４による上記した加飾リング２２部分の照明の幅の拡大効果をより大きくすることができる。
【００６２】
なお、加飾リング２２の底面と文字板２の表面との間の部分は、比較的スペースを確保するのが難い部分であるが、上記したような小さな傾斜面部２３であれば、上記した部分に対して比較的容易に設けることが可能である。
【００６３】
また、上記した導光体８によれば、以下のような効果を得ることができる。
（効果３）
導光体本体８０の入光部８１から離れた部分の光路断面（光路幅Ｗｂ，Ｗｃ）を、入光部８１に近い部分の光路断面（光路幅Ｗａ）よりも小さくすることにより、入光部８１から離れた部分を通る光７の密度を上げて、この部分から文字板２へ向けて出射される光７による文字板２の発光輝度を確保し、文字板２の照明ムラを抑制することができる。
【００６４】
（効果４）
入光部８１から最も離れた位置Ａまたはその近傍に最小光路断面部８２を設けることにより、導光体本体８０における、入光部８１から離れた最も光７が届き難い部位で、光７を最も大きく集中させて、少ない光量であっても光７の密度を確実に上げるようにすることができる。
【００６５】
また、最小光路断面部８２が、円環状の導光体本体８０の外周側に位置されることにより（あるいは、最小光路断面部８２を、円環状の導光体本体８０の外周部の位置に限定することにより）、入光部８１から周方向に最も離れた位置Ａにおいて、光７が最も通り易い外周側の経路を有効に活用することができる。また、最小光路断面部８２が円環状の導光体本体８０の外周側に位置することにより、上記した円形の透過照明部３（円形透過照明部２１）および加飾リング２２の照明を行うと共に、必要な光量を確保することができる。そして、上記したように加飾リング２２に凸レンズ面２４や傾斜面部２３を設けることにより、導光体本体８０の最小光路断面部８２から幅が狭い状態で出射された光７を十分に拡げて見せることが可能となる。
【００６６】
（効果５）
最小光路断面部８２の入側に、光路断面が徐々に縮小する光路断面漸縮部８３を設けることによって、最小光路断面部８２へ向けて光７をより効率的に集めることができる。
【００６７】
（効果６）
最小光路断面部８２の入側に、光路断面が急激に変化する光路断面急変化部８４を設けることにより、最小光路断面部８２の周辺に空きスペースを確保して、空きスペースを有効活用できるようにすることが可能となる。
【００６８】
そして、最小光路断面部８２を、入光部８１から最も離れた位置Ａを基準として、光路断面急変化部８４寄りにズラせたことにより、光路断面急変化部８４を設けることによって光７が届き難くなる部分へ最小光路断面部８２の位置を移動して、その部分に光７が集まり易くなるようにすることが可能となる。即ち、円環状の導光体本体８０の具体的な形状に対応させるように、最小光路断面部８２を、最も光７が届き難くなる位置に設定して、そこに光７を集めることが可能となる。
【００６９】
（効果７）
最小光路断面部８２を挟んで光路断面急変化部８４とは反対側の部分の内周面に、入光部８１と、最小光路断面部８２とを結ぶ線８５と平行な反射面を設けたことによって、例えば、上記したように最小光路断面部８２を光路断面急変化部８４寄りにズラせたことで、上記反対側の部分から最小光路断面部８２に光７を届け難くなってしまったような場合であっても、光源４からの直接の光７を上記反対側の部分を通してより多く最小光路断面部８２へ向けて導くことができるようになるので、最小光路断面部８２に届く光７の量をより多くすることが可能となる。
【００７０】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７１】
２    文字板
３    透過照明部
４    光源
７    光
２２  加飾リング
２３  傾斜面部
２４  凸レンズ面
【図１】
2015021750.tif 000003
【図２】
2015021750.tif 000004
【図３】
2015021750.tif 000005
【図４】
2015021750.tif 000006
【図５】
2015021750.tif 000007
【図６】
2015021750.tif 000008
【図７】
2015021750.tif 000009